(57)【要約】      （修正有）【課題】初心者でも簡単に素早くお太鼓結びに帯を結ぶことができ、なおかつ、個人の好みや体型に合わせた大きさのお太鼓、文庫結びやその他の結び方等、用途や好みに合わせて簡単に素早く帯を結ぶことができ、多様に用いることが可能な帯を提供する。【解決手段】巻き帯と帯枕と飾り帯と帯締めからなり、巻き帯は半帯幅で一端に帯と並行する方向に係止具を設け、他端には帯から垂直に係止具を設けた巻き帯であり、帯枕は左右両側面に係止具を設け、体面には面ファスナーを設けた帯枕であり、飾り帯は帯幅で上部に面ファスナーを設けた飾り帯である。【選択図】図２
2005200817.tif 000002
【特許請求の範囲】
【請求項１】
巻き帯と帯枕と飾り帯と帯締めからなり、前記巻き帯は半帯幅で一端に帯と並行する方向に係止具を設け、他端には帯から垂直に係止具を設けた巻き帯であり、前記帯枕は左右両側面に係止具を設け、底面には面ファスナーを設けた帯枕であり、前記飾り帯は帯幅で上部に面ファスナーを設けた飾り帯であり、帯締めは市販の帯締めを用いることを特徴とした帯の構成。
【請求項２】
帯枕の底面に設けた面ファスナーと飾り帯の上部に設けた面ファスナーを密着させることで飾り帯に帯枕を取り付けた帯飾り部とし、身体に巻き付けて係止具により係止した巻き帯の背中の部分に前記帯飾り部を帯枕の両側面に設けた係止具により係止させ、飾り帯の第２片と第３片の境界となる谷折り線を両手で持ち上げ、第１片の内側に折り込むことでお太鼓を形成し、帯締めを締めることでお太鼓結びが完成することを特徴とした請求項１に記載の帯の結び方。
【請求項３】
背面に面ファスナーを設けた環状の本体及び前記本体の上部左右端に取り付けられ先端に係止具を設けた係止バンドからなる補助部材を用いることを特徴とした請求項１に記載の帯の構成。
【請求項４】
補助部材に設けた面ファスナーと飾り帯の上部に設けた面ファスナーを密着させることで飾り帯に補助部材を取り付けた帯飾り部とし、身体に巻き付けて係止具により係止した巻き帯の背中の部分に前記帯飾り部を補助部材の左右端に取り付けられた係止バンドの係止具により係止させ、飾り帯の第２片と第３片の境界となる谷折り線を両手で持ち上げ、第１片の内側に折り込むことでお太鼓を形成し、巻き帯の巻き終わりの部分である先端を前記補助部材の空間に差し込み突出させることで、角出しの帯結びをすることを特徴とした請求項１及び請求項３に記載の帯の結び方。
【請求項５】
巻き帯と補助帯と帯飾り補助部材と飾り帯からなり、前記補助帯は半帯幅の帯を折返し辺から半分の幅になるように折返した本体と前記本体の上部左右に取り付けられ先端に係止具を設けた係止バンドからなり前記本体の表面片及び背面片に面ファスナーを取り付けた補助帯であり、前記帯飾り補助部材は帯幅の帯布からなる帯飾り補助部材であることを特徴とした帯の構成。
【請求項６】
上端及び下端を折り返した飾り帯に帯飾り補助部材を重ねて中央部を蛇腹に折り込み、前記蛇腹部分を補助帯の上端で覆い面ファスナーを密着させることで帯飾り部を形成し、身体に巻き付けて係止具により係止した巻き帯の背中の部分に前記帯飾り部を前記補助帯の左右に取り付けられた係止バンド先端の係止具により係止させ、補助帯の下端部分を巻き帯に挟み込むことで文庫結びが完成することを特徴とした請求項５に記載の帯の結び方。
【発明の詳細な説明】
【技術分野】
【０００１】
本発明は、着物を着て帯を結ぶ際に、簡単に素早く美しい形のお太鼓結びに帯を結ぶことが可能な帯の改良に関する発明である。
【背景技術】
【０００２】
従来、着物を着る際に結ぶ帯は、１本の長い帯を身体に巻き付け、身体の後ろで巻き付けた帯の余り部分を結ぶ結び方でお太鼓等の帯飾り部分を形成しているため、着物を着慣れていない人では自分で素早く美しく帯を結ぶことが困難である。
【０００３】
そのため、身体に巻き付ける巻き帯と、予めお太鼓の形に形成して型くずれを防ぐために縫い止められている飾り帯に分かれており、身体に巻き付けた巻き帯にお太鼓型の飾り帯を係止具で取り付けるだけの帯が市販されている。また、特開２００１−９８４０８号の公開特許公報に記載された「二部式帯」のように、身体に巻き付けて止着する巻帯と、この巻帯に取り付ける帯飾り部に分割した二部式帯が発明されている。
【０００４】
前記「二部式帯」は、巻帯に布との滑りがよい生地を用いた裏地を設け、巻帯に引掛け具で取り付ける帯枕と、それぞれ一方端を帯枕の引掛け具を挿通させる孔をそなえた帯幅の第１飾り帯及び半帯幅の第２飾り帯とをそなえ、巻帯を身体に巻き付けて身体の前で止着させ、この止着部分に前記第１飾り帯と第２飾り帯の一方を引掛け具で帯枕に取り付け、この一方の飾り帯に他方の飾り帯を組み合わせて帯飾り部を形成し、形成した帯飾り部を巻帯とともに、裏地の滑りを利用して帯飾り部が背後の所定位置になるように回すことで帯を簡単に結ぶことができるものである。
【０００５】
しかしながら、前記「二部式帯」は、帯飾り部を形成後に巻帯と共に回して背後の所定位置に移動させるため、回したときに帯飾り部や巻帯の状態が崩れる可能性が考えられるとともに、第１及び第２飾り帯を身体に巻き付けた巻帯に取り付けた後に帯結びをしているため、従来の一本帯を背後で結んで帯飾りを形成するよりは簡単であるが、身体に結びつけてから飾り帯を形成することには変わらず、初心者でも帯飾りを素早く美しく形成することは難しい。
【０００６】
また、市販されているお太鼓型の飾り帯を巻き帯に取り付けるだけの帯は、お太鼓が形成されてほどけないように留められているため、お太鼓の大きさを変えることができず、個人の好みや体型の違いに幅広く対応することは難しい。
【０００７】
更に、市販されている簡易帯としては、お太鼓結びの形のみではなく、文庫結び等を形成した帯もあるが、お太鼓同様に文庫結びの形状を形成して留められているために長さや大きさを変えることができないと共に、使用を繰り返すうちに文庫結びの形状が崩れてきてしまうが、結び直すことができないために長期間にわたり使用することは困難である。
【特許文献１】特開２００１−９８４０８号公報
【発明の開示】
【発明が解決しようとする課題】
【０００８】
そこで、本発明は、初心者でも簡単に素早くお太鼓結びに帯を結ぶことができ、なおかつ、個人の好みや体型に合わせた大きさのお太鼓に形成することが可能な帯を提供することを目的とするものである。
【０００９】
また、文庫結びやその他の結び方等、用途や好みに合わせて簡単に素早く帯を結ぶことができ、多様に用いることが可能な帯を提供することを目的とするものである。
【課題を解決するための手段】
【００１０】
本発明は、上記の課題を解決するために、巻き帯と帯枕と飾り帯と帯締めからなり、前記巻き帯は半帯幅で一端に帯と並行する方向に係止具を設け、他端には帯から垂直に係止具を設けた巻き帯であり、前記帯枕は左右両側面に係止具を設け、底面には面ファスナーを設けた帯枕であり、前記飾り帯は帯幅で上部に面ファスナーを設けた飾り帯であり、帯締めは市販の帯締めを用いることを特徴とした帯の構成及び帯枕の底面に設けた面ファスナーと飾り帯の上部に設けた面ファスナーを密着させることで飾り帯に帯枕を取り付けた帯飾り部とし、身体に巻き付けて係止具により係止した巻き帯の背中の部分に前記帯飾り部を帯枕の両側面に設けた係止具により係止させ、飾り帯の第２片と第３片の境界となる谷折り線を両手で持ち上げ、第１片の内側に折り込むことでお太鼓を形成し、帯締めを締めることでお太鼓結びが完成することを特徴とした帯の結び方とした。
【００１１】
また、背面に面ファスナーを設けた環状の本体及び前記本体の上部左右端に取り付けられた係止バンドからなる補助部材を前記帯に使用することで角出しの帯結びができることを特徴とした帯及び帯の結び方とした。
【００１２】
更に、巻き帯と補助帯と帯飾り補助部材と飾り帯からなり、前記補助帯は半帯幅の帯を折返し辺から半分の幅になるように折返した本体と前記本体の上部左右に取り付けられ先端に係止具を設けた係止バンドからなり前記本体の表面片及び背面片に面ファスナーを取り付けた補助帯であり、前記帯飾り補助部材は帯幅の帯布からなる帯飾り補助部材であることを特徴とした帯の構成及び上端及び下端を折り返した飾り帯に帯飾り補助部材を重ねて中央部を蛇腹に折り込み、前記蛇腹部分を補助帯の上端で覆い面ファスナーを密着させることで帯飾り部を形成し、身体に巻き付けて係止具により係止した巻き帯の背中の部分に前記帯飾り部を前記補助帯の左右に取り付けられた係止バンド先端の係止具により係止させ、補助帯の下端部分を巻き帯に挟み込むことで文庫結びが完成することを特徴とした帯の結び方とした。
【発明の効果】
【００１３】
本発明は、初心者でも着物を着る際に、簡単に素早く、個人の好みや体型に合わせた大きさのお太鼓結びの帯を結ぶことができる。
【００１４】
また、お太鼓結びに限らず好みや用途、体型に合わせて角出しや文庫結び等多様な帯結びが簡単にできるため、着物を着慣れていない人でも手軽に着物を着ることが可能である。
【実施例１】
【００１５】
以下に、添付図面に基づき本発明である帯を詳細に説明する。図１には本発明である帯を構成する構成部材を示し、図２から図６には各構成部材の詳細を示し、図７から図１２には本発明である帯を結ぶ手順を示した。
【００１６】
図１は本発明である帯を構成する構成部材を示す正面図である。本発明である帯は、図１に示すように、巻き帯１、帯枕４、飾り帯７、帯締め８の４つの部材を使用して結ぶ帯である。尚、符号８ａは、帯締め８の表面である。
【００１７】
図２は本発明である帯の構成部材である巻き帯の先端部拡大図、図３は巻き帯の一部拡大図である。図１、図２及び図３に示すように、本発明である帯の構成部材である巻き帯１は、折返し辺１ｂにより半分に折り返した半帯幅の巻き帯である。
【００１８】
図１及び図２に示すように、巻き帯１の先端部には、係止具２が連接バンド２ａにより巻き帯１の先端部から帯と並行する方向に突設するように取り付けられている。
【００１９】
図１及び図３に示すように、巻き帯１のもう一方の先端部に近い位置の合わせ辺には、係止具３が連接バンド３ａにより合わせ辺から上方に向かって突設するように取り付けられている。先端部に取り付けられた係止具２と、合わせ辺に取り付けられた係止具は、互いに係止する部材である。
【００２０】
図４は本発明である帯の構成部材である帯枕の背面図、図５は帯枕の底面図である。図１、図４及び図５に示すように、帯枕４は枕４ａ、係止具５ａ、６ａを取り付けた係止バンド５、６からなる。
【００２１】
帯枕４を構成する枕４ａは、背面４ｃが平坦で表面が丘状に盛り上がった形状で、上部には湾曲部４ｂが形成されている。枕４ａの背面４ｃには、中央に面ファスナー４ｄが取り付けられていることが特徴である。
【００２２】
枕４ａの左右側面には左右に突出するように係止バンド５、６が取り付けられている。枕４ａの右側面に取り付けられた係止バンド５は、先端には係止具５ａが取り付けられている。符号５ｂは、係止具５ａを係止バンド５に連接するための縫着部である。
【００２３】
枕４ａの左側面に取り付けられた係止バンド６は、先端に係止具６ａが取り付けられ、中程には調節バンド６ｃにより長さを調節するための調節具６ｂが取り付けられている。係止バンド５に取り付けられた係止具５ａと、係止バンド６に取り付けられた係止具６ａは、互いに係止する部材である。
【００２４】
図６は、本発明である帯の構成部材である飾り帯の背面図である。図１及び図６に示すように、飾り帯７は、飾り帯本体７ａの裏地７ｃの上部に面ファスナー７ｂが取り付けられている。前記面ファスナー７ｂは、帯枕４の枕４ａに取り付けられた面ファスナー４ｄと密着する部材である。
【００２５】
図７から図１２は、本発明である帯を結ぶ手順を示した図である。図７から図１２に基づいて、本発明である帯の結び方を説明する。図７は、帯を結ぶ手順の第１段階を示す図である。
【００２６】
図７に示すように、本発明である帯を結ぶには、先ず巻き帯１を身体に巻き付けることから始める。尚、着物１０を着た女性９が帯を結ぶ場合、帯を結ぶ前までの手順は通常通りである。即ち、着物を着用し帯揚げ１１を結ぶところまで通常通りに進める。尚、符号１０ａは右袖であり、符号１０ｂは左袖である。
【００２７】
帯を結ぶ場合、先ず巻き帯１を両手９ａ、９ｂに持ち、巻き帯１の係止具２が取り付けられた先端を背中に当て、２回り程度身体に巻き付ける。身体に巻き帯１を巻き付けたところで、係止具２に係止具３を差し込むようにして、係止具２及び係止具３を係止させる。それにより巻き帯１は結び目を作らなくても、しっかりと身体に巻き付けて係止させた状態となる。この時、係止具２の取り付けられていない側の先端、即ち巻き終わり部分は、お太鼓を形成する際の手となるために巻き帯１の間に挟んで保持しておく。以上で、第１段階の巻き帯１の巻き付けが完了する。
【００２８】
図８は、帯を結ぶ手順の第２段階を示す図である。第２段階では、お太鼓を形成する帯飾り部を準備する。帯飾り部には、帯枕４と飾り帯７を用いる。まず、飾り帯７の裏地７ｃに取り付けられた面ファスナー７ｂに、帯枕４の背面４ｃに取り付けられた面ファスナー４ｄを密着させるようにして重ね、飾り帯本体７ａに帯枕４を取り付ける。
【００２９】
次に、図８中の矢印ａに示したように、面ファスナー４ｄ、７ｂを密着させて飾り帯本体７ａに取り付けた帯枕４の上にできる飾り帯本体７ａの余り部分、即ち折返し片７ｅを帯枕４に被せるようにして折り返す。尚、符号７ｆは上端である。図８に示すように、折返し片７ｅを折り返して枕４ａの上に被せたため、正面から見ると折返し片７ｅの表地７ｄが見えることになる。これで、第２段階の帯飾り部の準備が完了する。
【００３０】
図９は、帯を結ぶ手順の第３段階を示す図である。第３段階では、第２段階で準備した帯飾り部を身体に巻き付けた巻き帯１上に取り付ける。図９に示すように、第１段階で巻き帯１を巻き付けた背中１０ｃの巻き帯１上に、第２段階で準備した帯飾り部を重ねるようにする。
【００３１】
この時、第２段階で準備した帯飾り部の折返し片７ｅが背中１０ｃ部分の帯に密着するようにして重ねて、帯枕４の左右に取り付けられた係止バンド５、６の係止具５ａ、６ａを身体の前の部分で係止させて、飾り帯部がずれないようにする。身体の前で係止させた係止具５ａ、６ａは、見えないように巻き帯１に挟み込む。
【００３２】
帯を結ぶ手順の第４段階では、第３段階で取り付けた帯飾り部をお太鼓に形成する。お太鼓に形成する際の構成を示した図が図１０である。
【００３３】
図１０に示したように、帯飾り部となる飾り帯の垂れた部分は大きく分けて第１片７ｇ、第２片７ｉ、第３片７ｋとなる。但し、この片の大きさは、個人のお太鼓の大きさの好み等に合わせるものとする。
【００３４】
第１片７ｇ、第２片７ｉ、第３片７ｋは、図１０に示した第１片７ｇと第２片７ｉの境界となる山折り線７ｈ、第２片７ｉと第３片７ｋの境界となる谷折り線７ｊに基づき折り込むことで形成する。
【００３５】
図１１は、帯を結ぶ手順の第４段階を示す図である。図１１に示すように第４段階では、図１０に示した山折り線７ｈ、谷折り線７ｊに基づいて第１片７ｇ、第２片７ｉ、第３片７ｋを折り込み、お太鼓を形成する。
【００３６】
図１１に示したように、帯を結ぶ手順の第４段階では、谷折り線７ｊに手を当てて、第１片７ｇの内側を帯枕４の下部まで持ち上げるようにすることでお太鼓が形成される。
【００３７】
第３片７ｋは、下部がお太鼓結びのたれの部分となるため、第１片７ｇ及び第２片７ｉよりも長くなる。また、手を当てる谷折り線７ｊの位置を変えることで、お太鼓の大きさ、たれの長さの好みに合わせることが可能である。
【００３８】
図１２は、本発明である帯を結ぶ手順の第５段階を示す図である。第５段階は、お太鼓結びを完成させる最終段階である。図１２に示すように、図１１に示した帯を結ぶ手順の第４段階でお太鼓に形成した飾り帯７の第１片７ｇと第２片７ｉの間に通すようにして帯締め８を通し、身体の前部で帯締め８を結び、お太鼓１２が完成する。
【００３９】
以上の図７から図１２に示した各段階の手順により、帯をお太鼓１２に結ぶことで、着物に慣れていない人でも数分でお太鼓結びを結ぶことができる。
【実施例２】
【００４０】
図１３から図１７は、本発明である帯の第２実施例を示す図である。本第２実施例は、第１実施例に示した帯に補助部材を使用することで、角出しの帯結びができるものである。図１３は本発明である帯の第２実施例に用いる補助部材を示した図、図１４から図１７は本第２実施例の帯を結ぶ手順を示した。
【００４１】
図１３は本発明である帯の第２実施例に用いる補助部材１３の背面図である。補助部材１３は、帯を半分に折った半帯幅の帯布を環状に形成した本体１３ａと前記本体１３ａの上部左端に取り付けられた係止バンド１４及び前記本体１３ａの上部右端に取り付けられた係止バンド１５からなる。
【００４２】
前記環状の本体１３ａの下端は環１３ｂに形成され、背面１３ｃの上端には面ファスナー１３ｄが取り付けられている。また、本体１３ａが環状に形成されているため本体１３ａ内には空間１３ｅが形成されている。
【００４３】
前記本体１３ａの上部左端に取り付けられた係止バンド１４は、先端に係止具１４ａが備えられ、前記本体１３ａの上部右端に取り付けられた係止バンド１５は、先端に係止具１５ａが備えられ、中程には長さを調節するための調節具１５ｂが備えられている。係止バンド１４に備えられた係止具１４ａと係止バンド１５に備えられた係止具１５ａは、互いに係止する部材である。
【００４４】
図１４は、本発明である帯の第２実施例の第２段階を示す図である。なお、本第２実施例の帯の結び方の第１段階は、図７に示した第１実施例の帯の結び方の第１段階と同様に巻き帯１を身体に巻き付ける手順である。
【００４５】
本第２実施例の第２段階は、図１４に示すように、補助部材１３を飾り帯７に取り付け帯飾り部を準備する。飾り帯７の裏地７ｃに取り付けられた面ファスナー７ｂに、補助部材１３の背面１３ｃに取り付けられた面ファスナー１３ｄを密着させるようにして重ね、飾り帯本体７ａに補助部材１３を取り付ける。
【００４６】
次に、図１５の本発明である帯の第２実施例の第３段階を示す図の通り、図１５中の矢印ｃに示したように、面ファスナー７ｂ、１３ｄを密着させて飾り帯本体７ａに取り付けた補助部材１３の上にできる飾り帯本体７ａの余り部分、即ち折返し片７ｅを補助部材１３に被せるようにして折り返す。図１５に示すように、折返し片７ｅを折り返して補助部材１３の上に被せたため、正面から見ると折返し片７ｅの表地７ｄが見えることになる。
【００４７】
図１６は、本第２実施例の帯を結ぶ手順の第４段階を示す図である。第４段階では、第３段階までに準備した帯飾り部を身体に巻き付けた巻き帯１上に取り付ける。図１６に示すように、巻き帯１を巻き付けた背中１０ｃの巻き帯１上に、第３段階までに準備した帯飾り部を重ねるようにする。
【００４８】
この時、第３段階で準備した帯飾り部の折返し片７ｅが背中１０ｃ部分の帯に密着するようにして重ねて、補助部材１３の左右に取り付けられた係止バンド１４、１５の係止具１４ａ、１５ａを身体の前の部分で係止させて、飾り帯部がずれないようにする。また、身体の前で係止させた係止具１４ａ、１５ａは、見えないように巻き帯１に挟み込む。
【００４９】
そして、図１０及び図１１に示した本発明である帯の第１実施例と同様に、飾り帯７の垂れた部分を山折り線７ｈ及び谷折り線７ｊに基づいて第１片７ｇ、第２片７ｉ、第３片７ｋを折り込み、お太鼓１２を形成する。
【００５０】
さらに、お太鼓１２内の補助部材１３に形成された空間１３ｅに、巻き帯１の巻き終わりの部分である先端１ｃを差し込み、反対側から突出させるようにして角１ｄを形成する。
【００５１】
図１７は本発明である帯の第２実施例の帯結びが完了した状態を示す図である。図１７に示すように、補助部材１３の空間１３ｅに巻き帯１の先端１ｃを差し込み突出させたことで、角出し１６の帯結びをすることができる。
【実施例３】
【００５２】
図１８から図２４は、本発明である帯の第３実施例を示す図である。本第３実施例は、第１実施例に示した帯に補助帯及び帯飾り補助部材を使用することで、文庫結びをはじめとする多様な帯結びをすることを可能とした帯である。
【００５３】
図１８は、本発明である帯の第３実施例に使用する補助帯の背面図である。補助帯１７は、図１８に示すように半帯幅の帯を折返し辺１７ｄから半分の幅になるように折返した本体１７ａと前記本体１７ａの上部左右に取り付けられた係止バンド１８、１９からなる。
【００５４】
前記補助帯１７の本体１７ａの表面片１７ｂには上端に面ファスナー２０が設けられ、背面片１７ｃにも面ファスナー２０ａが設けられている。前記面ファスナー２０と面ファスナー２０ａは、互いに密着し係止する部材である。
【００５５】
本体１７ａに取り付けられた係止バンド１８は、先端に係止具１８ａが取り付けられており、係止バンド１９は、先端に係止具１９ａが取り付けられ、中程には長さを調節するための調節具１９ｂが取り付けられている。前記係止バンド１８に取り付けられた係止具１８ａと係止バンド１９に取り付けられた係止具１９ａは、互いに係止する。
【００５６】
図１９は本発明である帯の第３実施例に使用する帯飾り補助部材の正面図である。帯飾り補助部材２１は、巻き帯及び飾り帯と同一の布で作られた一枚の帯布である。尚、符号２１ａは、帯飾り補助部材２１の表面である。
【００５７】
図２０は本発明である帯の第３実施例の結び方の第２段階を示す図である。本第３実施例においても、帯の結び方の第１段階は第１実施例及び第２実施例と同様に巻き帯を身体に巻き付ける。
【００５８】
図２０に示したように、第２段階は飾り帯２２を折り畳んで帯飾り部の準備をする段階である。図２０に示した飾り帯２２は、第１実施例で使用した飾り帯７と同一の物であり、本第３実施例では飾り帯２２を折り畳んで帯飾り部とする。尚、符号２２ｂは面ファスナーである。
【００５９】
図２０に示すように、飾り帯２２を裏地を上にして横向きに置き折り畳んでいく。矢印ｅに示したように、上端２２ｃを飾り帯本体２２ａの中央位置付近まで折り返し、上片２２ｄの表地が見えるように畳む。更に、矢印ｅ’に示すように下端２２ｅを上端２２ｃに重ねるようにして折り返し、下片２２ｆの表地が見えるように畳む。
【００６０】
次に、図２１の第３段階を示す図に示したように、折り畳んだ飾り帯２２の上に、帯飾り補助部材２１を重ねて載せる。
【００６１】
図２２は本発明である帯の第３実施例の第４段階を示した図である。図２２に示すように、第４段階は文庫結びの形状を形成する段階である。図２１に示した第３段階で飾り帯２２に帯飾り補助部材２１を重ねた帯飾り部の中央部を文庫結びを形成するために蛇腹に折り込み、補助帯１７の上部に載せる。
【００６２】
帯飾り部の蛇腹に折り込んだ部分を覆うように、補助帯１７の上端を下方に折返し、補助帯１７の表面片１７ｂの上部に設けた面ファスナー２０と背面片１７ｃに設けた面ファスナー２０ａを密着させ、帯飾り部に形成した蛇腹部分をしっかりと留める。
【００６３】
更に、補助帯１７の本体１７ａが帯飾り部中央の蛇腹部分を覆うように一巻きし、帯飾り部を任意の文庫結びの形状になるように形を整える。
【００６４】
図２３は本発明である帯の第３実施例の第５段階を示した図である。図２３に示すように、第４実施例で文庫結びの形状に形を整えた帯飾り部を身体に巻き付けた巻き帯１の表面１ａに重ねるようにして乗せ、補助帯１７に取り付けた係止バンド１８、１９の係止具１８ａ、１９ａを係止させて巻き帯１上に装着する。この時、係止バンド１８、１９は巻き帯１内に挟み込み見えないようにする。
【００６５】
図２４は本発明である帯の第４実施例の第６段階を示した図である。図２３に示した第５段階で帯飾り部の上部に余っていた補助帯１７の余り部分は、飾り帯２２の蛇腹部分を留めている補助帯本体１７ａを覆うようにして下側に向け、更に飾り帯２２と巻き帯１の間に挟み込むことで、文庫結び２３が完成する。
【００６６】
さらに、帯飾り補助部材２１の重ね方や補助帯１７の巻き方等を変えることで、文庫結び２３に限らず多様な帯結びを簡単に形成することができ、また身体に装着する前に帯飾り部の形を整えることができるので、簡単に形状の美しい帯結びをすることができる。
【図面の簡単な説明】
【００６７】
【図１】本発明である帯の構成部材を示す正面図である。
【図２】本発明である帯の構成部材である巻き帯の先端部拡大図である。
【図３】本発明である帯の構成部材である巻き帯の一部拡大図である。
【図４】本発明である帯の構成部材である帯枕の背面図である。
【図５】本発明である帯の構成部材である帯枕の底面図である。
【図６】本発明である帯の構成部材である飾り帯の背面図である。
【図７】本発明である帯を結ぶ手順の第１段階を示す図である。
【図８】本発明である帯を結ぶ手順の第２段階を示す図である。
【図９】本発明である帯を結ぶ手順の第３段階を示す図である。
【図１０】本発明である帯を結ぶ手順の第４段階以降の構成を示す図である。
【図１１】本発明である帯を結ぶ手順の第４段階を示す図である。
【図１２】本発明である帯を結ぶ手順の第５段階を示す図である。
【図１３】本発明である帯の第２実施例に用いる補助部材の背面図である。
【図１４】本発明である帯の第２実施例の第２段階を示す図である。
【図１５】本発明である帯の第２実施例の第３段階を示す図である。
【図１６】本発明である帯の第２実施例の第４段階を示す図である。
【図１７】本発明である帯の第２実施例の帯結びが完了した状態を示す図である。
【図１８】本発明である帯の第３実施例に使用する補助帯の背面図である。
【図１９】本発明である帯の第３実施例に使用する帯飾り補助部材の正面図である。
【図２０】本発明である帯の第３実施例の第２段階を示す図である。
【図２１】本発明である帯の第３実施例の第３段階を示す図である。
【図２２】本発明である帯の第３実施例の第４段階を示す図である。
【図２３】本発明である帯の第３実施例の第５段階を示す図である。
【図２４】本発明である帯の第３実施例の第６段階を示す図である。
【符号の説明】
【００６８】
１          巻き帯
１ａ        表面
１ｂ        折返し辺
１ｃ        先端
１ｄ        角
２          係止具
２ａ        連接バンド
３          係止具
３ａ        連接バンド
４          帯枕
４ａ        枕
４ｂ        湾曲部
４ｃ        背面
４ｄ        面ファスナー
５          係止バンド
５ａ        係止具
５ｂ        縫着部
６          係止バンド
６ａ        係止具
６ｂ        調節具
６ｃ        調節バンド
７          飾り帯
７ａ        飾り帯本体
７ｂ        面ファスナー
７ｃ        裏地
７ｄ        表地
７ｅ        折返し片
７ｆ        上端
７ｇ        第１片
７ｈ        山折り線
７ｉ        第２片
７ｊ        谷折り線
７ｋ        第３片
８          帯締め
８ａ        表面
９          女性
９ａ        右手
９ｂ        左手
１０          着物
１０ａ        右袖
１０ｂ        左袖
１０ｃ        背中
１１          帯揚げ
１２          お太鼓
１３          補助部材
１３ａ        本体
１３ｂ        環
１３ｃ        背面
１３ｄ        面ファスナー
１３ｅ        空間
１４          係止バンド
１４ａ        係止具
１５          係止バンド
１５ａ        係止具
１５ｂ        調節具
１６          角出し
１７          補助帯
１７ａ        本体
１７ｂ        表面片
１７ｃ        背面片
１７ｄ        折返し辺
１８          係止バンド
１８ａ        係止具
１９          係止バンド
１９ａ        係止具
１９ｂ        調節具
２０、２０ａ  面ファスナー
２１          帯飾り補助部材
２１ａ        表面
２２          飾り帯
２２ａ        本体
２２ｂ        面ファスナー
２２ｃ        上端
２２ｄ        上片
２２ｅ        下端
２２ｆ        下片
２３          文庫結び
【図１】
2005200817.tif 000003
【図２】
2005200817.tif 000004
【図３】
2005200817.tif 000005
【図４】
2005200817.tif 000006
【図５】
2005200817.tif 000007
【図６】
2005200817.tif 000008
【図７】
2005200817.tif 000009
【図８】
2005200817.tif 000010
【図９】
2005200817.tif 000011
【図１０】
2005200817.tif 000012
【図１１】
2005200817.tif 000013
【図１２】
2005200817.tif 000014
【図１３】
2005200817.tif 000015
【図１４】
2005200817.tif 000016
【図１５】
2005200817.tif 000017
【図１６】
2005200817.tif 000018
【図１７】
2005200817.tif 000019
【図１８】
2005200817.tif 000020
【図１９】
2005200817.tif 000021
【図２０】
2005200817.tif 000022
【図２１】
2005200817.tif 000023
【図２２】
2005200817.tif 000024
【図２３】
2005200817.tif 000025
【図２４】
2005200817.tif 000026